(57)【特許請求の範囲】
【請求項１】
紡糸口金パックと、前記紡糸口金パックを加熱、保温するように保持する保温枠と、前記保温枠の内部に前記紡糸口金パックを加熱するための複数の誘導発熱機構とを備えた紡糸装置において、前記保温枠に、底面で開口する複数の凹部と底面および側面で開口する切欠部を設け、その各凹部内にそれぞれ前記誘導発熱機構を配置し、前記切欠部に前記凹部内に配置した誘導発熱機構の誘導コイルからのリード線を接続する端子台を取り付けてなり、前記複数の誘導発熱機構のうちの任意の数の誘導発熱機構の誘導コイルを前記端子台を介して相互に一括接続し、前記一括接続された前記誘導コイルの両端が接続された端子台から引き出された一対のリード線を、前記誘導コイルを励磁する交流電源に接続してなる紡糸装置。
【請求項２】
紡糸口金パックと、前記紡糸口金パックを加熱、保温するように保持する保温枠と、前記保温枠の内部に前記紡糸口金パックを加熱するための複数の誘導発熱機構とを備えた紡糸装置において、前記保温枠に、底面で開口する複数の凹部と底面および側面で開口する切欠部を設け、その各凹部内にそれぞれ前記誘導発熱機構を配置し、前記切欠部に前記凹部内に配置した誘導発熱機構の誘導コイルからのリード線を接続する端子台を取り付けてなり、ひとつのグループに複数の誘導発熱機構が付属するように前記誘導発熱機構を複数のグループに分割し、各グループ毎に、そのグループに含まれる誘導発熱機構の誘導コイルを端子台を介して相互に一括接続し、前記一括接続された前記端子台から引き出された一対のリード線を、前記誘導コイルを励磁する交流電源に接続してなる紡糸装置。
【発明の詳細な説明】
【０００１】
【発明の属する技術分野】
本発明は紡糸装置に関する。
【０００２】
【従来の技術】
紡糸装置において、多数の細孔を有する紡糸口金を備えた紡糸口金パックと、この紡糸口金パックを取り囲む保温枠とを主体とし、保温枠の内部に供給された紡糸液を、紡糸口金パックの内部に送りこみ、これを紡糸口金の細孔から外部に糸状に吐出する構成は既によく知られている。このような構成において、保温枠に送り込まれた紡糸液（たとえば合成繊維、不織布などのポリマーなど）の温度が低下しないように、保温枠を高温に保つ必要があり、そのための熱源として、誘導発熱機構を用い、これを保温枠の内部に設置した構成は、本発明者によって既に提案されている（特願平１１−３０５２５２号公報参照。）。
【０００３】
この種紡糸装置の外観を示したのが図１０である。同図において、１は紡糸口金パックで、この例では頭部２と脚部３とによって、正面から見てＴ字状とされてあり、脚部３の底面が紡糸口金とされてあり、ここに紡糸液を吐出する多数の細孔が形成されてある。５は保温枠で、この例では方形状に構成されてあり、その側面には紡糸液が供給される供給口６が設けられてある。また内側の段面７には供給口６に連通する出口８が設けられている。
【０００４】
紡糸口金パック１は保温枠５に嵌合されて保持される。このように嵌合されたとき、紡糸口金パック１の頭部２の下面９が保温枠５の段面７の上に密着して乗る。そしてこのように密着されたとき、出口８は紡糸口金パック１の頭部２の下面に開口している連通口と向い合う。この連通口は前記した紡糸口金の紡糸液吐出口用の細孔に連続している。したがって保温枠５に供給された紡糸液は、出口８を介して紡糸口金パック１の内部を通り、紡糸液吐出口の細孔より吐出されるようになる。
【０００５】
なお紡糸口金パック１を保温枠５に嵌合させた状態で、頭部２の表面に開口するボルト孔１２および保温枠５の段面７に開口するタップ穴１３を通るボルトによって一体的に固定されるようになっている。保温枠５の内部には前記したように熱源として利用する誘導発熱機構が設置されている。図１０における保温枠５の側壁のＡ−Ａ線断面図である図９を参照して誘導発熱機構を説明すると、保温枠５の内部にその底面で開口している空所１６を設け、その内部に誘導発熱機構１７が配置される。
【０００６】
空所１６は多数設けられてあり、その各空所１６にそれぞれ誘導発熱機構１７が配置される。誘導発熱機構１７は、筒状の鉄心１８と、その外周を囲むように巻回された誘導コイル１９と、鉄心１８の上下の各端面を閉塞する継鉄２０とにより主として構成されている。上方の継鉄２０はボルト２１によって空所１６の内面に固定され、これにより誘導発熱機構１７は保温枠５の内部に取り付けられることになる。
【０００７】
誘導コイル１９を交流電源により励磁すると、これにより発生する交番磁束は鉄心１８の一方の端面から誘導コイル１９の外周を通って鉄心１８の他方の端面に向かって通る。この交番磁束により誘導発熱機構１７の外周にある保温枠５は１ターンの磁路となり、交番電流が誘起することによって、ジュール熱により発熱する。またこの交番磁束により保温枠５の内部に渦電流も発生し、この渦電流によっても保温枠５は発熱する。なお２２は保温枠５の内部に多数設けられたジャケット室で、その内部に気液二相の熱媒体２３が封入されていて、この熱媒体２３の相変換の際に発生する潜熱により、保温枠５の全体を均熱化する。
【０００８】
ところで保温枠５を発熱させるために、前記のように誘導コイル１９を交流電源により励磁する必要がある。そのためには各誘導コイル１９を交流電源にリード線などを介して接続しておかなければならない。通常誘導コイル１９の両端から引き出された２本のリード線を交流電源に接続するのであるが、前記のように誘導発熱機構１７を多数設けた場合は、その数に応じて交流電源に接続するリード線の数も増えてくる。
【０００９】
すなわち従来ではその一例を図８および図９に示すように、各誘導コイル１９からのリード線２５を、保温枠５の底面に沿って這わせるようにして保温枠５の両端にまで引き出し、ここから交流電源に接続するようにしている。しかしこのような構成によれば、誘導コイル１９から引き出されるリード線は必然的に長くなり、その取り付けのための作業性が極めて悪いし、またその数も多いため線材の材料費、絶縁材料費が高くつく。のみならず誘導発熱機構１７が故障したような場合、その交換にあたって、リード線をも脱着する必要があり、その作業性も煩雑となる。
【００１０】
【発明が解決しようとする課題】
本発明は、保温枠を発熱させるべく保温枠の内部に配置された誘導発熱機構のための誘導コイルを交流電源に接続するにあたり、その接続のために必要なリード線の使用量を少なくするとともに、その接続作業性の軽減を図ることを目的とする。
【００１１】
【課題を解決するための手段】
本発明は、紡糸口金パックと、前記紡糸口金パックを加熱、保温するように保持する保温枠と、前記保温枠の内部に前記紡糸口金パックを加熱するための複数の誘導発熱機構とを備えた紡糸装置において、前記保温枠に、底面で開口する複数の凹部と底面および側面で開口する切欠部を設け、その各凹部内にそれぞれ前記誘導発熱機構を配置し、前記切欠部に前記凹部内に配置した誘導発熱機構の誘導コイルからのリード線を接続する端子台を取り付け、誘導発熱機構の誘導コイルを、端子台を介して一括接続し、一括接続された誘導コイルの両端が接続された端子台から引き出された一対のリード線を、交流電源に接続したことを特徴とする。
【００１２】
各グループに付属する複数の誘導コイルを直列、並列あるいは直並列接続するなどして一括接続してあるので、その一括接続された回路から引きだされ、交流電源に接続されるリード線の数は、２本で足りる。したがって交流電源に接続するのに使用するリード線は少なくてすむ。また各誘導コイルからのリード線はすべて個々に端子台に接続されているので、誘導コイルと交流電源との接続のための作業性は極めてよい。更に誘導発熱機構の交換作業時も誘導コイルからのリード線を端子台から取り外せばよいので、その作業性も簡便である。
【００１３】
【発明の実施の形態】
本発明の実施の形態を図によって説明する。なお従来例として示した図８、図９と同じ符号を付した部分は、同一または対応する部分を示す。本発明にしたがい、複数ある誘導発熱機構１７のうちの複数をひとつのグループとする。図示構成では複数のグループを構成している。図２に示す例では保温枠５の底面に見える誘導発熱機構を、底面の各側縁毎に３グループ、したがって周縁に沿って合計６グループに分け、また各１グループにはそれぞれ４個の誘導発熱機構が属するようにしてある。なお両端中央に位置している誘導発熱機構１７′については、グループ分けをせずに、それぞれ独立させている。
【００１４】
各誘導発熱機構１７（誘導発熱機構１７′も含む。）には、それぞれ端子台３０を付属させる（図１〜図３参照。）。各端子台３０は保温枠５の底面に取り付けられる。そして各誘導発熱機構１７の誘導コイル１９からの２本のリード線３１は、それらに付属している端子台３０に接続される。ひとつのグループに付属している４個の誘導発熱機構とその端子台との接続関係、端子台同志の接続関係ならびに端子台と交流電源との接続関係の一例を示したのが図３である。
【００１５】
図３において、ひとつのグループに属する４個の誘導発熱機構１７Ａ〜１７Ｄは、それぞれ端子台３０Ａ〜３０Ｄに、それぞれリード線３１を介して接続される。誘導発熱機構１７Ａ，１７Ｂの各誘導コイルは、リード線３２を介して直列に接続され、誘導発熱機構１７Ｃ，１７Ｄの各誘導コイルは、リード線３３を介して直列に接続される。そしてこの各直列回路は、リード線３４，３５を介して並列に接続される。各リード線３２〜３５は保温枠５の周面に沿って這うように取り付けられている。もちろん誘導コイルの接続関係は、図示するような接続関係にこだわる理由はなく、各誘導コイルを直列または並列接続するだけであってもよい。
【００１６】
前記した並列回路の両端は、保温枠５の周面に沿って這うように保温枠５の端部に引き回され、ここから外部に引き出される。そして外部にある端子台３６に接続される。端子台３６は交流電源３７に接続されているので、したがって各誘導コイルは端子台３６と端子台３０Ａ〜３０Ｄとを介して交流電源３７に接続されることになる。
【００１７】
図４は図３に示す端子台３０Ａ（あるいは３０Ｂ）の一例を示す斜視図、図５はその部分正面図である。端子台本体４１に２本のスタッドボルト４２を立て、そのそれぞれに一対の端子金具４３，４４を取り付け、ナット４５，４６により締め付けて固定する。一方の端子金具４３には誘導コイルからのリード線３１Ａを、他方の端子金具４４には他の端子金具に接続されるリード線３２，３４を接続する。なお４７は座金である。
【００１８】
図６に示すものは端子台３０Ｃ（または３０Ｄ）の一例を示す部分正面図である。ここでは一方のスタッドボルト４２には、端子金具４３を取り付けるとともに、２個の端子金具４４を取り付ける。端子金具４３にはリード線３１を取り付けることは図５と同様であるが、他方の端子金具４４の一方には他の端子台からのリード線３４を、他の一方の端子金具４４には端子台３６に向かうリード線３８を接続する。なお図７は端子台本体４１にカバー４８を設置した状態を示す斜視図である。
【００１９】
以上述べた接続構成によれば、ひとつのグループの誘導発熱機構から交流電源に対して接続されるリード線は２本で足りる。したがって個々の誘導コイルからリード線を引き出して交流電源に接続する構成に比較してリード線の使用量は少なくてすむ。またリード線の接続作業も、誘導発熱機構に近接している端子台間の接続ですみ、リード線を長く引き回す必要がなくなる。更に誘導発熱機構が故障したような場合、その交換に際しては交換対象の誘導発熱機構とそれに付属している端子台との間のリード線を取り外すだけですみ、したがってその作業は極めて簡便である。
【００２０】
なお保温枠５の温度を制御する必要があるときは、図３に示すように、保温枠５の内部に温度検出器５１を設置し、これからの検出信号を温度設定器５２に入力する。そしてここに設定されている設定値と温度検出器５１からの検出信号とを比較する。両値に差があるときは、その差に応じた信号を電圧調整器５３に送ることによって、交流電源３９から各誘導コイルに供給される電圧を制御して、保温枠５の温度を調整する。
【００２１】
【発明の効果】
以上説明したように本発明によれば、紡糸口金パックを保持する保温枠に、これを加熱するための誘導発熱機構を設置するにあたり、これを交流電源に接続するリード線の使用量を少なくするととともに、その接続作業は簡便となり、更に誘導発熱機構の交換などの作業に際しても、リード線の脱着作業も簡単にすむといった効果を奏する。
【図面の簡単な説明】
【図１】本発明の実施態様を示す断面図である。
【図２】図１に示す保温枠の底面図である。
【図３】回路結線を併示した図２の一部分の拡大図である。
【図４】端子台の斜視図である。
【図５】図４の部分正面図である。
【図６】別の端子台の部分正面図である
【図７】端子台にカバーをかぶせた状態を示す斜視図である。
【図８】従来例の保温枠の底面図である。
【図９】従来例の部分断面図である。
【図１０】紡糸装置の分解斜視図である。
【符号の説明】
１  紡糸口金パック
５  保温枠
１７  誘導発熱機構
３０  端子台
３１  リード線
３２〜３５  リード線
３７  交流電源
【図１】
0004831887.tif 000002
【図２】
0004831887.tif 000003
【図３】
0004831887.tif 000004
【図４】
0004831887.tif 000005
【図５】
0004831887.tif 000006
【図６】
0004831887.tif 000007
【図７】
0004831887.tif 000008
【図８】
0004831887.tif 000009
【図９】
0004831887.tif 000010
【図１０】
0004831887.tif 000011